(57)【要約】【課題】インターネットに公開されているデータベースにおける効率的な情報検索手段を提供する。【解決手段】ユーザーの検索クエリを随時自動的に受け付け、そのクエリ要求による抽出の経過を連続してリアルタイムに逐一画面に反映させることで、ユーザーは自らの求める情報を何度も検索し直すことなく直感的に効率良く得ることが出来る。また、ブラウザとサーバ間の通信内容は検索実行と抽出表示に必要なデータに限られているため、画面全体が表示されるのを待たずに済み、画面全体の遷移は発生しない。これによってユーザーにかかる負担が軽減される。【選択図】図２
2010277560.tif 000002
【特許請求の範囲】
【請求項１】
インターネット上に公開されている情報データベースの検索において、ユーザーの操作による検索要求のクエリを自動的に受け付けて、検索画面上に逐一抽出して表示するものであって、ユーザーからの操作要求を受け付けて即座にクエリを送信する検索インターフェース部と、操作に対して即座にその経過を反映し表示する一覧表示インターフェース部と、を備えた、受付処理と抽出表示処理を連続的かつ並列して行うことを特徴とする検索情報表示制御方法。
【請求項２】
情報検索処理において、画面遷移を必要とせず、また、ユーザーからの全ての検索条件の決定を待つことなくクエリを随時受け付け、ユーザーに対して検索の経過をその都度即座に提示することを特徴とする情報検索システム。
【請求項３】
請求項１記載の制御プログラム。
【請求項４】
請求項２記載の制御プログラム。
【発明の詳細な説明】
【技術分野】
【０００１】  本発明は、インターネット上のデータベースから検索された結果をブラウザに表示する際、ブラウザを再読み込みすることなく（画面遷移することなく）検索の結果（経過）を即時に表示、並び替え、または計算するシステム、並びにその表示制御方法に関するものである。
【背景技術】
【０００２】  従来のインターネット情報検索方法（例えば特許文献１参照）においては、検索画面の表示と検索条件の送信、検索結果一覧の表示の３ステップで構成されるものが一般的である。以下、従来のインターネット情報検索方法および検索処理方式について説明する。【０００３】  従来の検索処理方式では、図１に示すとおり、ユーザーＵ１がインターネット上にあるサーバＳ１のデータベースＳ２から検索し、ブラウザＢ１を通して検索結果を表示する場合は、検索画面Ｂ２を操作して検索条件を決定した上で、インターネット上のサーバＳ１に対してブラウザＢ１から人為的にクエリを送信し、サーバＳ１は検索結果一覧画面のＨＴＭＬを生成しレスポンスとして返し、ブラウザＢ１に再読み込みさせて（画面遷移させて）検索結果一覧画面Ｂ３を表示させる。【０００４】  同様に、所望の情報が見付からなかった場合や情報が多すぎた場合の再検索、または、情報の並び替えをする場合にも、検索画面Ｂ２を操作して検索条件を決定したクエリを人為的にブラウザＢ１からサーバＳ１に送信し、サーバＳ１は検索結果一覧画面のＨＴＭＬを生成しレスポンスとして返し、ブラウザＢ１に再読み込み（画面遷移）させる。【０００５】  また、図３のように、従来の処理形態は直列処理である。ユーザーの操作によって、ブラウザＢ１はサーバＳ１に対して検索ページの要求Ｐ１を送信し、サーバＳ１はページ要求の受付Ｒ１を行って検索ページの出力Ｒ２をブラウザＢ１に返却し、ブラウザＢ１は検索ページの表示Ｐ２を行うという検索準備のステップの後、ユーザーは希望検索条件の指定Ｐ３をして、ユーザーによる人為的な検索条件の送信Ｐ４によってサーバＳ１にＨＴＴＰクエリを送信、サーバＳ１は検索条件の受信Ｒ３をすると検索結果一覧の組成Ｒ４を行ってページ全体のＨＴＭＬを生成しブラウザＢ１に返却、ブラウザＢ１は受け取ったＨＴＭＬによって画面遷移して検索結果一覧の表示Ｐ５を行い、ユーザーは希望する情報の有無Ｐ６を判断する。
【先行技術文献】
【特許文献】
【０００６】
【特許文献１】  特開２００３−１２２７８０（Ｐ２００３−１２２７８０Ａ）
【発明の概要】
【発明が解決しようとする課題】
【０００７】  このとき、ユーザーの所望する情報が見付からないか、あるいは検索結果一覧の表示Ｐ５の情報量が多すぎた場合などには、ユーザーの操作によって検索ページの要求Ｐ１あるいは希望条件の指定Ｐ３をやり直すことになるが、希望検索条件の指定Ｐ３によって構成される全クエリが検索条件の送信Ｐ４によって送信されて検索結果一覧の表示Ｐ５が行われるまで、抽出の過程がユーザーには見えない為、所望の情報を得られなかった理由を窺い知ることが出来ず、ユーザーは検索条件の指定内容をよく吟味し、検討せねばなければならないという手間があった。【０００８】  また、検索結果一覧画面の表示の為にブラウザＢ１の画面遷移が発生し、画面全体の再読み込みを重ねなければならず、ブラウザＢ１とサーバＳ１の間で、検索自体には不要なデータのやりとりが発生し、かつ、ユーザビリティの面からも、ページの読み込みを何度も重ねて検索し直さなくてはならないという負担があった。
本発明は、以上の欠点を解決し、インターネットに公開されているデータベースにおける効率的な情報検索手段を提供することを目的とする。
【課題を解決するための手段】
【０００９】  本発明であるインターネットの情報検索システム及び検索情報表示制御方法の構成を図２に示す。ユーザーＵ１がブラウザＢ１に表示されている検索画面Ｂ２ａの中の検索インターフェースＭ１を操作すると、検索インターフェースＭ１は即座にブラウザを経由してサーバＳ１に対して自動リクエストを行い、サーバＳ１はデータベースＳ２から情報を抽出し、一覧表示インターフェースＭ２の表示に必要なＸＭＬデータのみをレスポンスとしてブラウザＢ１に返却する。
このとき、ブラウザは画面全体の遷移を行ったりページを切り替えたりせず、一覧表示インターフェースＭ２に抽出状況を逐一表示し、ユーザーに対してシームレスな検索プロセスを提供する。【００１０】  検索インターフェースＭ１と一覧表示インターフェースＭ２のそれぞれを、ページとしてではなく、ドキュメントオブジェクトモデルのモジュールとして組み込んで独立動作させることによって、検索操作と検索結果（抽出）表示の並列処理が可能になり、多岐に渡る検索条件であっても、条件を選ぶ（条件が変化する）ごとに検索結果（もしくはその経過）をリアルタイムで（画面の再読み込み無しで）表示する。【００１１】  本発明であるインターネットの情報検索システム及び検索情報表示制御方法の処理形態について図４に示す。ユーザーの操作によって、ブラウザＢ１はサーバＳ１に対して検索ページの要求Ｐ１を送信し、サーバＳ１はページ要求の受付Ｒ１を行って検索ページの出力Ｒ２をブラウザＢ１に返却し、ブラウザＢ１は検索ページの表示Ｐ２ａを行う検索準備のステップまでは従来とほぼ同一である。【００１２】しかし、検索ページの表示Ｐ２ａにおいて、希望検索条件の指定Ｐ３ａと検索結果一覧の表示Ｐ５ａの動作に必要なそれぞれ独立したモジュール（図２におけるＭ１ならびにＭ２）と、その制御プログラムを内包してスタンバイさせ、ユーザーの操作を監視して待機する点が大きく異なる。【００１３】  検索条件の指定Ｐ３ａの操作（検索条件の指定の内容変更）をトリガーとして、サーバＳ１に対して検索条件のクエリが非同期で自動送信される。サーバＳ１は、これを受けて検索条件の受信Ｒ３ａを行い、検索結果一覧の組成Ｒ４ａにて検索結果一覧の表示Ｐ５ａに必要なデータのみで構成されるＸＭＬを生成してブラウザに返却する。【００１４】  ブラウザは受け取ったＸＭＬを検索ページの表示Ｐ２ａの際に内包した制御プログラムによって、検索ページの表示Ｐ２ａのページ全体遷移を発生させずに、図２における表示インターフェースＭ２に対して検索結果一覧の表示Ｐ５ａを行う。この間も、図２の検索インターフェースＭ１は希望検索条件の指定Ｐ３ａを継続して受け付ける。【００１５】  ユーザーは、希望する条件の有無Ｐ６ａにおいて、抽出の経過過程を見ながら判断し、所望する情報が見付かるように希望検索条件の指定Ｐ３ａにて検索条件の加減を行う。【００１６】  このように、本発明であるインターネットの情報検索システム及び検索情報表示制御方法においては、図２のとおり、インターネット上に公開されたサーバＳ１上にあるデータベースＳ２及びそれに付随するプログラムに、ユーザーＵ１がパソコン上のブラウザＢ１からアクセスした場合、ブラウザＢ１上に表示させるプログラムを用いて非同期接続を行い、ユーザーＵ１が検索条件を選ぶ（変更する）たびに、サーバＳ１を介して即時データベースＳ２に自動的にアクセスされ、サーバＳ１はその結果をブラウザＢ１に送信し、ブラウザＢ１は動的にページの一部（一覧表示インターフェースＭ２）を書き換えることによりユーザーＵ１のブラウザＢ１は再読み込み（遷移）することなく、検索の状況プロセスをリアルタイムで表示し、ユーザーの負担を軽減するものである。
【発明の効果】
【００１７】  従来の一般的なインターネット情報検索方法において、図３のＰ３からＰ６のステップの所要時間は数秒から十数秒であるのに対し、本発明であるインターネットの情報検索システム及び検索情報表示制御方法において同様の処理である図４のＰ３ａからＰ６ａのステップは即時である。【００１８】  本発明であるインターネットの情報検索システム及び検索情報表示制御方法によって、検索条件を選ぶだけで自動的に検索結果（経過）が表示されるため、ユーザーＵ１は検索結果（経過）を見ながら検索条件の加減が可能になる。【００１９】目的の情報に辿り着くための手続きが簡略化され、また、再読み込みのタイムアウトによるエラーを防ぐことが出来、かつ複雑な操作であっても簡便化できるようになる。
【図面の簡単な説明】
【００２０】
【図１】  本発明であるインターネットの情報検索システム及び検索情報表示制御方法の検索の処理方式の構成を表した図である。
【図２】  従来の一般的な検索方式の処理形態を表した図である。
【図３】  本発明であるインターネットの情報検索システム及び検索情報表示制御方法の検索方式の処理形態を表した図である。
【図４】  従来の一般的な検索の処理方式の構成を表した図である。
【図１】
2010277560.tif 000003
【図２】
2010277560.tif 000004
【図３】
2010277560.tif 000005
【図４】
2010277560.tif 000006